(57)【要約】      （修正有）【課題】携帯及び使用に便利な携帯式電子装置用保護カバーを提供する。【解決手段】この携帯式電子装置用保護カバーは、前カバー３に後ろカバー４が接続されて構成され、該前カバーの内面３１に固定装置３２が設けられて、電子装置５のボデーを固定するのに供され、該前カバーの外面３３に第１固定部品３４が設けられている。該後ろカバーの内面４１に少なくとも二つの支持脚４２が設けられ、その外面に第２固定部品４４が設けられている。上述の部品構成により、使用時に該前カバーを３６０度外向きに開くことができ、該第１固定部品と該第２固定部品を利用して固定し、並びに該支持脚を開いて、使用者がディスプレイを置いて画面を観ることができる。【選択図】図２
0003167985.tif 000002
【実用新案登録請求の範囲】
【請求項１】
前カバーに後ろカバーが接続されて構成された携帯式電子装置用保護カバーにおいて、  該前カバーは、その内面に固定装置が設けられて、電子装置を収容固定するのに供され、該前カバーの外面に第１固定部品が設けられ、
該後ろカバーは、その内面に二つの支持脚が設けられ、そのうち一方の支持脚は該後ろカバーの内面の横向き位置に位置し、横向き角度を提供し、もう一つの支持脚は該後ろカバーの内面の縦向き位置に位置し、縦向き角度を提供し、該後ろカバーの外面に第２固定部品が設けられ、該第２固定部品は該第１固定部品に対応して結合可能であり、
使用時に該前カバーを外向きに３６０度開いて、該第１固定部品と第２固定部品を利用して固定でき、並びに該支持脚を展開して電子装置を支持して該電子装置のスクリーンの閲覧に供することを特徴とする携帯式電子装置用保護カバー。
【請求項２】
請求項１記載の携帯式電子装置用保護カバーにおいて、該支持脚は、
一端が該後ろカバーに接続され、且つ長溝が設けられた支持板と、
一端が該長溝の端縁に接続され、別端が該後ろカバーに接続され、中段に折り曲げ可能部が設けられ、該延伸片の展開により、該支持脚を展開位置に展開固定させることができる延伸板と、
を包含することを特徴とする携帯式電子装置用保護カバー。
【請求項３】
請求項１記載の携帯式電子装置用保護カバーにおいて、該第１固定部品と該第２固定部品は磁性部品とされ、並びにその磁性を利用して相互に吸着固定させられることを特徴とする携帯式電子装置用保護カバー。
【請求項４】
請求項１記載の携帯式電子装置用保護カバーにおいて、該第１固定部品と該第２固定部品はスナップボタン式部品とされ、相互に対応して係合固定できることを特徴とする携帯式電子装置用保護カバー。
【請求項５】
請求項１記載の携帯式電子装置用保護カバーにおいて、該後ろカバーの一側辺に固定バンドが設けられ、該固定バンドに第３固定部品が設けられたことを特徴とする携帯式電子装置用保護カバー。
【請求項６】
請求項１記載の携帯式電子装置用保護カバーにおいて、該支持脚は２本設けられ、二つの横向き角度配置を提供することを特徴とする携帯式電子装置用保護カバー。
【請求項７】
請求項１記載の携帯式電子装置用保護カバーにおいて、該支持脚は２本設けられ、二つの縦向き角度配置を提供することを特徴とする携帯式電子装置用保護カバー。
【請求項８】
請求項１記載の携帯式電子装置用保護カバーにおいて、該固定装置は上カバー部と下カバー部を包含し、該上カバー部と下カバー部はその周縁で該電子装置のボデーを環状に被覆して固定することを特徴とする携帯式電子装置用保護カバー。
【請求項９】
請求項１記載の携帯式電子装置用保護カバーにおいて、該第１固定部品と該第２固定部品はそれぞれ該前カバーと該後ろカバーのカバー体内部に内蔵されることを特徴とする携帯式電子装置用保護カバー。
【考案の詳細な説明】
【技術分野】
【０００１】
本考案は一種の携帯式電子装置用保護カバーに係り、特に、携帯及び使用に便利な携帯式電子装置用保護カバーであって、携帯式電子装置のボデー表面を保護し、使用時に携帯式電子装置の重量を支持するのに便利であり、使用者の手腕の負担を軽減するのに有効である携帯式電子装置用保護カバーに関する。
【背景技術】
【０００２】
コンピュータの発展は、早期のマシンルームからパーソナルコンピュータ、ノートブッック型コンピュータ、さらにスマートフォン、フラットパネルコンピュータなどのタッチコントロール式の携帯式電子装置に至る。
【０００３】
携帯式電子装置はタッチスクリーンの技術により、使用者に直観的に、コンピュータスクリーン上で目標項目をクリックして選択させることができ、並びに２本以上の指を開く或いは閉じる動作により、スクリーン上のイメージ或いは文字を拡大及び縮小できる。このような、スクリーン上で直接クリックして選択する操作方式は使用者とスクリーン間の距離を接近させる。
【０００４】
従来、コンピュータ使用者とスクリーンの間は、キーボード操作方式により隔てられ、携帯式電子装置がタッチスクリーンを操作インターフェイスとすることで敏捷に操作できるのとは異なる。
【０００５】
携帯式電子装置は単純な板体の構造であり、使用者は随意にスクリーン上でタッチ及び操作を行うことができる。
【０００６】
携帯式電子装置は通常構造が簡単で、外観が精緻であり、使用者の興味を引く。ただし、その外表面は引っかき傷をつけたり汚れたりしやすく、その美観が影響を受けやすい。このため、市場には各種材質の携帯式電子装置用保護カバー１１（図１参照）が出現している。
【０００７】
これらの保護カバー１１は、通常これらの電子装置１２の背面を被覆し、並びにスクリーン部分１１１がくり抜かれて、操作に供し、ボデー表面の美観を保護する。
【０００８】
このほか、多くの携帯式電子装置は板体構造とされ、余分の支持装置を有しておらず、フラットパネルコンピュータのような比較的大型の装置であると、使用者は随時片手でコンピュータの重量を支え、もう一方の手で操作を行わねばならず、卓上或いは膝の上に置く時のいずれも、使用者の掌で支持して、スクリーンを立てて、使用者にとって最良の角度で観ることができるようにする必要があり、これは使用者にとっては非常に不便であり、長時間使用すると、使用者の手腕が疲労しやすく、且つ携帯式電子装置は経常的に手の上で使用され、両手で操作するほか、握持して落下防止する必要があるため、長時間握持した後に、手部の疲れや痺れを発生しうる。
【０００９】
さらに、このような携帯式電子装置１２は、製品の美観のために、通常、外表は滑らかな円弧設計とされ、このため、手部による握持には不利である。
【００１０】
さらに、一般にフラットパネルコンピュータは、使用者の掌に載せて使用されるが、１０インチスクリーンのフラットパネルコンピュータのサイズは通常、約１８ｃｍ×２４ｃｍであり、重量は最少でも５００ｇを超え、手でフラットパネルコンピュータの一側をつかみ、もう一方の手でコンピュータのタッチスクリーンを操作し、そのスクリーンを掴むほうの手はコンピュータの重量を支持しなければならないのみならず、握持部分がコンピュータの重心になく、ゆえに地球の引力の発生するテコの力を支持しなければならず、手部の負荷が増し、使用者の手腕の疲労と負担を増して、手部で支持できる時間を減らす。
【考案の概要】
【考案が解決しようとする課題】
【００１１】
以上の欠点を鑑み、本考案者は研究と改良を重ね、終に本考案の携帯式電子装置用保護カバーを完成した。本考案の目的は、携帯及び使用に便利な携帯式電子装置用保護カバーを提供し、これにより携帯式電子装置のボデー表面を保護し、使用時にその重量を支持するのに便利で、有効に使用者の手腕の負担を減らせるようにすることにある。
【課題を解決するための手段】
【００１２】
請求項１の考案は、前カバーに後ろカバーが接続されて構成された携帯式電子装置用保護カバーにおいて、
該前カバーは、その内面に固定装置が設けられて、電子装置を収容固定するのに供され、該前カバーの外面に第１固定部品が設けられ、
該後ろカバーは、その内面に二つの支持脚が設けられ、そのうち一方の支持脚は該後ろカバーの内面の横向き位置に位置し、横向き角度を提供し、もう一つの支持脚は該後ろカバーの内面の縦向き位置に位置し、縦向き角度を提供し、該後ろカバーの外面に第２固定部品が設けられ、該第２固定部品は該第１固定部品に対応して結合可能であり、
使用時に該前カバーを外向きに３６０度開いて、該第１固定部品と第２固定部品を利用して固定でき、並びに該支持脚を展開して電子装置を支持して該電子装置のスクリーンの閲覧に供することを特徴とする携帯式電子装置用保護カバーとしている。
請求項２の考案は、請求項１記載の携帯式電子装置用保護カバーにおいて、該支持脚は、
一端が該後ろカバーに接続され、且つ長溝が設けられた支持板と、
一端が該長溝の端縁に接続され、別端が該後ろカバーに接続され、中段に折り曲げ可能部が設けられ、該延伸片の展開により、該支持脚を展開位置に展開固定させることができる延伸板と、
を包含することを特徴とする携帯式電子装置用保護カバーとしている。
請求項３の考案は、請求項１記載の携帯式電子装置用保護カバーにおいて、該第１固定部品と該第２固定部品は磁性部品とされ、並びにその磁性を利用して相互に吸着固定させられることを特徴とする携帯式電子装置用保護カバーとしている。
請求項４の考案は、請求項１記載の携帯式電子装置用保護カバーにおいて、該第１固定部品と該第２固定部品はスナップボタン式部品とされ、相互に対応して係合固定できることを特徴とする携帯式電子装置用保護カバーとしている。
請求項５の考案は、請求項１記載の携帯式電子装置用保護カバーにおいて、該後ろカバーの一側辺に固定バンドが設けられ、該固定バンドに第３固定部品が設けられたことを特徴とする携帯式電子装置用保護カバーとしている。
請求項６の考案は、請求項１記載の携帯式電子装置用保護カバーにおいて、該支持脚は２本設けられ、二つの横向き角度配置を提供することを特徴とする携帯式電子装置用保護カバーとしている。
請求項７の考案は、請求項１記載の携帯式電子装置用保護カバーにおいて、該支持脚は２本設けられ、二つの縦向き角度配置を提供することを特徴とする携帯式電子装置用保護カバーとしている。
請求項８の考案は、請求項１記載の携帯式電子装置用保護カバーにおいて、該固定装置は上カバー部と下カバー部を包含し、該上カバー部と下カバー部はその周縁で該電子装置のボデーを環状に被覆して固定することを特徴とする携帯式電子装置用保護カバーとしている。
請求項９の考案は、請求項１記載の携帯式電子装置用保護カバーにおいて、該第１固定部品と該第２固定部品はそれぞれ該前カバーと該後ろカバーのカバー体内部に内蔵されることを特徴とする携帯式電子装置用保護カバーとしている。
【考案の効果】
【００１３】
本考案の携帯式電子装置用保護カバーは、電子装置を置いて使用者が全方位で電子装置のディスプレイ画面を観ることができ、また、携帯式電子装置のボデー表面を保護し、使用者の手腕の負担を効果的に軽減し、特に新規性と進歩性、実用性を具えている。
【図面の簡単な説明】
【００１４】
【図１】周知の保護カバーの表示図である。
【図２】本考案の立体表示図である。
【図３】本考案の立体実施例図である。
【図４】本考案の断面図である。
【図５】本考案の操作表示図である。
【図６】本考案の縦向き起立表示図である。
【図７】本考案の縦向き起立断面図である。
【図８】本考案の横向き起立表示図である。
【図９】本考案の横向き起立断面図である。
【図１０】本考案の折り畳み立体表示図である。
【考案を実施するための形態】
【００１５】
本考案の携帯式電子装置用保護カバーは、携帯式電子装置用保護カバーは、前カバーに後ろカバーが接続されて構成され、該前カバーの内面に固定装置が設けられて、収容した電子装置のボデーを固定するのに供され、該前カバーの外面に第１固定部品が設けられている。該後ろカバーの内面に少なくとも二つの支持脚が設けられ、その外面に第２固定部品が設けられている。上述の部品構成により、使用時に該前カバーを３６０度外向きに開くことができ、該第１固定部品と該第２固定部品を利用して固定し、並びに該支持脚を開いて、使用者がディスプレイを置いて画面を観ることができる。
【００１６】
上述の本考案の第１固定部品及び第２固定部品は磁性部品とされ、並びにその磁性を利用し相互に吸引固定し、且つ該第１固定部品と該第２固定部品は該前カバー及び後ろカバーのカバー体内部にそれぞれ内臓される。
【００１７】
上述の本考案の第１固定部品及び第２固定部品は、スナップボタン式部品とされて、相互に対応し係合固定できるものとされ得る。
【００１８】
上述の支持脚は、一端が該後ろカバーに接続され、且つ長溝が設けられた支持板と、一端が該長溝の端縁に接続され、別端が該後ろカバーに接続され、中段に折り曲げ可能部が設けられ、該延伸片の展開により、該支持脚を展開位置に展開固定させることができる延伸板と、を包含する。
【００１９】
上述の本考案の後ろカバーは、その支持脚に対応し支持脚を折り畳んで収容できる位置に位置決め部を有し、収容した該支持脚を係止固定できる。
【００２０】
上述の後ろカバーは、その内面に二つの支持脚を有し、そのうち一方の支持脚は該後ろカバーの内面の横向き位置に位置し、横向き角度を提供し、もう一つの支持脚は該後ろカバーの内面の縦向き位置に位置し、縦向き角度配置を提供する。
【００２１】
上述の支持脚は二本あり、それは二つの横向き角度配置を提供する。
【００２２】
上述の支持脚は二本あり、それは二つの縦向き角度配置を提供する。
【００２３】
本考案の技術内容、構造特徴、達成する目的を詳細に説明するため、以下に実施例を挙げ並びに図面を組み合わせて説明する。
【００２４】
図２に示されるのは、本考案の展開の立体表示図である。本考案の携帯式電子装置用保護カバーＡは、前カバー３に後ろカバー４が連接部Ａ１で連接され、並びに該連接部Ａ１は該前カバー３及び後ろカバー４を二つ折り或いは外向きに開く折り曲げ部分であり、該前カバー３の外面３３と後ろカバー４の外面４３の表面に、被覆式カバーの表面が形成されている。
【００２５】
該前カバー３の内面３１には固定装置３２が設けられ、電子装置５を収容固定する（図３、４に示されるとおり）。該固定装置３２は、上カバー部３２１と下カバー部３２２を包含し、それぞれにその周縁３２３、３２４が該電子装置５の本体の上縁、下縁を環状に被覆及び固定し、且つ該前カバー３の外面３３に第１固定部品３４が設けられている。
【００２６】
該後ろカバー４はその内面４１に少なくとも一つの支持脚４２が設けられ、且つ該支持脚４２の位置に第１収容溝４７が凹設され（図５、６、７参照）、該第１収容溝４７内にさらに第２収容溝４８が凹設され、該後ろカバー４の外面４３に第２固定部品４４が設けられ、該第２固定部品４４は該第１固定部品３４に対応し、結合可能である。
【００２７】
該支持脚４２は、支持板４２１であって、一端４２３が該後ろカバー４の第１収容溝４７の溝縁に接続され、且つ該支持板４２１に長溝４２４が設けられた上記支持板４２１と、延伸板４２２であって、一端４２５が該長溝４２４の端縁に接続され、別端４２６が該後ろカバー４に接続され、該延伸板４２２の中段に折り曲げ可能部４２７が設けられ、該延伸片４２２の展開により、該支持脚４２を展開位置に展開固定できる上記延伸板４２２と、を包含する。
【００２８】
上述の本考案の第１固定部品３４及び第２固定部品４４は磁性部品とされ、並びにその磁気吸着作用により、相互に固定可能で、且つ該第１固定部品３４と該第２固定部品４４は該前カバー３及び後ろカバー４のカバー体内部にそれぞれ内臓可能である。
【００２９】
或いは、上述の本考案の第１固定部品３４及び第２固定部品４４は、スナップボタン式部品とされて、相互に対応し係合固定できるものとされ得る。
【００３０】
このほか、本考案の後ろカバー４の一側辺にはさらに固定バンド４５が設けられ、該固定バンド４５に第３固定部品４５１が設けられ、それは該前カバー３と後ろカバー４が閉じ合わされる時、該第３固定部品４５１を繞設して前カバー３外面３３の第１固定部品３４に係合（或いは磁気吸着）され、該第３固定部品４５１はスナップボタン式部品或いは磁性部品とされ得る。
【００３１】
使用者が本考案で電子装置５を支持してディスプレイ画面を観る時は、まず、電子装置５を該前カバー３に置き、並びに該固定装置３２の上カバー部３２１と下カバー部３２２の周縁３２３、３２４で環状に該電子装置５のボデーの上縁と下縁を被覆する。
【００３２】
その後、該前カバー３を３６０度回転させ、その外面３３と後ろカバー４の外面４３を突き合わせ、並びに該第１固定部品３４と第２固定部品４４を係合させ（或いは磁気吸着させ）て固定する。
【００３３】
さらに、画面を観る方向により、対応位置に設けた支持脚４２を選択及び展開する。たとえば、縦方向に観る時（図４、５、６参照）は、縦向き角度位置の支持脚４２を展開し、並びに該支持板４２１の外向き回転の力により、折り曲げ可能部４２７を折り曲げの中心とし、該延伸板４２２の上半部４２８と下半部４２９を、それぞれ該長溝４２４及び第２収容溝４８中より下向きに引き出して、該延伸板４２２の上半部４２８と下半部４２９が一直線となるようにする。この位置は該支持脚４２の理想的な展開位置であり（図７参照）、保護カバーＡを支持して立てることができる。
【００３４】
図８、９に示されるのは、横向きに観る場合の実施例である。それは横向き角度位置の支持脚４２を展開して、横向き画面を観るのに供する。
【００３５】
このほか、全方位の閲覧に適用するため、本考案の支持脚４２は最も好ましくは、該後ろカバー４の内面４１に、二つの横向き角度位置と二つの縦向き角度位置の支持脚４２が設置され、すなわち、上下左右の各方向に、それぞれ一つの支持脚４２が設けられて、全方位閲覧の訴求を達成する。
【００３６】
図１０に示されるように、該電子装置５を不使用の時は、まず、該前カバー３の内面３１と後ろカバー４の内面４１を突き合わせ、並びに該固定バンド４５の第３固定部品４５１を該第１固定部品３４と係合（或いは磁気吸着）させ、さらに、該支持脚４２の支持板４２１を内向きに折り畳み、連帯して該延伸板４２２の上半部４２８を該長溝４２４内に収容し、下半部４２９を該第２収容溝４８内に収納し、該支持板４２１もまた該第１収容溝４７内に収容する。
【００３７】
該第１収容溝４７の底縁には位置決め部４７１があり、該支持脚４２の支持板４２１の底側４２１１を嵌め込んで固定でき、支持脚４２の該第１収容溝４７からの離脱を防止する。
【００３８】
総合すると、本考案の携帯式電子装置用保護カバーは、電子装置を置いて使用者が全方位で電子装置のディスプレイ画面を観ることができ、また、携帯式電子装置のボデー表面を保護し、使用者の手腕の負担を効果的に軽減し、特に新規性と進歩性、実用性を具えている。
【００３９】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００４０】
１１  保護カバー
１１１  スクリーン部分
１２  電子装置
Ａ  保護カバー
Ａ１  連接部
３  前カバー
３１  内面
３２  固定装置
３２１  上カバー部
３２２  下カバー部
３２３  周縁
３２４  周縁
３３  外面
３４  第１固定部品
４  後ろカバー
４１  内面
４２  支持脚
４２１  支持板
４２１１  底側
４２２  延伸板
４２３  一端
４２４  長溝
４２５  一端
４２６  別端
４２７  折り曲げ部
４２８  上半部
４２９  下半部
４３  外面
４４  第２固定部品
４５  固定バンド
４５１  第３固定部品
４７  第１収容溝
４７１  位置決め部
４８  第２収容溝
５  電子装置
【図１】
0003167985.tif 000003
【図２】
0003167985.tif 000004
【図３】
0003167985.tif 000005
【図４】
0003167985.tif 000006
【図５】
0003167985.tif 000007
【図６】
0003167985.tif 000008
【図７】
0003167985.tif 000009
【図８】
0003167985.tif 000010
【図９】
0003167985.tif 000011
【図１０】
0003167985.tif 000012